【手続補正書】
【提出日】平成15年12月15日(2003.12.15)
【手続補正１】
【補正対象書類名】明細書
【補正対象項目名】特許請求の範囲
【補正方法】変更
【補正の内容】
【特許請求の範囲】
【請求項１】
複数の走査電極と複数の信号電極がマトリックス状に配置されてなる液晶表示装置の駆動方法であって、前記複数の走査電極に走査電圧を順次印加し、前記複数の信号電極に信号電圧を印加し、第１設定時間は、連続する２つの水平走査期間で前記信号電圧が負レベルから正レベルに変化する信号電極の信号電圧に、そのレベル変化に伴う波形歪による実効値電圧の低下を補償する補償パルスをに重畳し、第２設定時間は、連続する２つの水平走査期間で前記信号電圧が正レベルから負レベルに変化する信号電極の信号電圧に、そのレベル変化に伴う波形歪による実効値電圧の低下を補償する補償パルスを重畳することを特徴とする液晶表示装置の駆動方法。
【請求項２】
複数の走査電極と複数の信号電極がマトリックス状に配置されてなる液晶表示装置の駆動方法であって、前記複数の走査電極に走査電圧を順次印加し、前記複数の信号電極に信号電圧を印加し、第１設定時間は、連続する２つの水平走査期間で前記信号電圧が正レベルを維持する信号電極の信号電圧に、信号電圧レベルが変化した場合に生ずる波形歪による実効値電圧の低下に相当する実効値電圧の低下を与える補償パルスを重畳し、第２設定時間は、連続する２つの水平走査期間で前記信号電圧が負レベルを維持する信号電極の信号電圧に、信号電圧レベルが変化した場合に生ずる波形歪による実効値電圧の低下に相当する実効値電圧の低下を与える補償パルスを重畳することを特徴とする液晶表示装置の駆動方法。
【請求項３】
前記第１設定時間と前記第２設定時間の長さがほぼ等しい請求項１または２記載の液晶表示装置の駆動方法。
【請求項４】
前記第１設定時間と前記第２設定時間が極性信号に応じて設定される請求項１または２項記載の液晶表示装置の駆動方法。
【請求項５】
前記補償パルスを重畳するか否かを、表示データのオン・オフを用いた論理条件により決める請求項４記載の液晶表示装置の駆動方法。
【請求項６】
前記第１設定時間と前記第２設定時間が極性信号およびそれとは別の制御信号に応じて設定される請求項１または２記載の液晶表示装置の駆動方法。
【請求項７】
前記補償パルスを重畳するか否かを、表示データのオン・オフを用いた論理条件により決める請求項６記載の液晶表示装置の駆動方法。
【請求項８】
前記第１設定時間と前記第２設定時間が、極性信号とは独立に設定された制御信号に応じて設定される請求項１または２記載の液晶表示装置の駆動方法。
【請求項９】
前記補償パルスのパルス幅が次式で示される液晶パネルの画素部分の時定数Ｂinの１．５倍以上である請求項１または２に記載の液晶表示装置の駆動方法。
Ｂin＝（Ｒpix×ｎ）×（Ｃpix×ｎ）／２
但し、Ｒpixは、液晶パネルの１画素当たりの信号電極の抵抗、Ｃpixは１画素あたりの静電容量、ｎは１本の信号線上の画素数である。
【請求項１０】
補償パルスの幅が前記液晶パネルの画素部分の時定数Ｂinの４倍以上であることを特徴とする請求項９記載の液晶表示装置の駆動方法。
【請求項１１】
前記補償パルスが矩形波よりも周波数成分の低い波形を有する請求項１または２に記載の液晶表示装置の駆動方法。
【請求項１２】
前記補償パルスの形状が、正弦波、円弧状の波形、三角波のうちのいずれかである請求項１１記載の液晶表示装置の駆動方法。
【請求項１３】
前記信号電圧の立ち上がり部と立ち下がり部とに傾斜を持たせる請求項１または２に記載の液晶表示装置の駆動方法。
【請求項１４】
前記補償パルスの重畳位置及びパルス幅の少なくとも一方が、クロックのカウント値に応じて設定された補償パルス制御信号により制御される請求項１または２に記載の液晶表示装置の駆動方法。
【請求項１５】
前記補償パルスの幅と高さの少なくとも一方が、走査側電極の給電側から終端側に向かって徐々に変化している請求項１または２に記載の液晶表示装置の駆動方法。
【請求項１６】
データシフトクロックのカウント値により、前記補償パルスの幅または高さの変化量が制御される請求項１５記載の液晶表示装置の駆動方法。
【請求項１７】
前記補償パルスの幅と高さの少なくとも一方が、前記２つの水平走査期間に対応する２つの走査電極上のオン画素数の差、またはオフ画素数の差によって制御される請求項１または２に記載の液晶表示装置の駆動方法。
【請求項１８】
前記補償パルスの幅と高さの少なくとも一方が走査側電極の給電側から終端側に向かって徐々に変化している請求項１７記載の液晶表示装置の駆動方法。
【請求項１９】
現在の走査電極上と前段の走査電極上とのオン画素数の差、またはオフ画素の差がない場合に、前記補償パルスの幅と高さの少なくとも一方が走査側電極の給電側から終端側に向かって徐々に変化している請求項１７記載の液晶表示装置の駆動方法。
【請求項２０】
前記補償パルスが前記液晶表示装置の上半面と下半面とで独立に制御される請求項１または２に記載の液晶表示装置の駆動方法。
【請求項２１】
前記走査電圧の極性反転周期をフレーム周期の１／４以上とする請求項１または２に記載の液晶表示装置の駆動方法。
【請求項２２】
複数の走査電極と複数の信号電極がマトリックス状に配置された液晶表示装置に対して、前記複数の走査電極に順次印加する走査電圧と、前記複数の信号電極に印加する信号電圧とを供給するための液晶表示装置の駆動ＩＣにおいて、
第１の水平走査期間における第１の信号データを保持する第１のラッチ回路と、第１の水平走査期間に隣接する第２の水平走査期間における第２の信号データを保持する第２のラッチ回路と、前記２つのラッチ回路の出力に基づいて、複数の入力電圧のうちの一つを選択して出力するスイッチ回路の組と、複数のバス配線とを備え、少なくとも１本のバス配線が複数の電圧レベルに共有されていることを特徴とする液晶表示装置の駆動ＩＣ。
【請求項２３】
前記複数のバス配線のうちの１本が補償パルスの複数の電圧レベルに共有されている請求項２２記載の液晶表示装置の駆動ＩＣ。
【請求項２４】
複数の走査電極と複数の信号電極がマトリックス状に配置された液晶表示装置に対して、前記複数の走査電極に順次印加する走査電圧と、前記複数の信号電極に印加する信号電圧とを供給するための液晶表示装置の駆動ＩＣにおいて、
第１の水平走査期間における第１の信号データを保持する第１のラッチ回路と、第１の水平走査期間に隣接する第２の水平走査期間における第２の信号データを保持する第２のラッチ回路と、前記２つのラッチ回路の出力に基づいて複数の入力電圧のうちの一つを選択して出力するスイッチ回路の組と、複数のバス配線と、前記バス配線上の電圧レベルのうち少なくとも１つを制御信号に応じて反転させる反転回路とを備えたことを特徴とする液晶表示装置の駆動ＩＣ。
【請求項２５】
前記反転回路により反転される電圧レベルが補償パルスの電圧レベルである請求項２４記載の液晶表示装置の駆動ＩＣ。
【請求項２６】
複数の電圧レベルに共有されたバス配線に接続されたスイッチ回路の出力抵抗が、他のスイッチ回路の出力抵抗よりも高い請求項２２記載の液晶表示装置の駆動ＩＣ。
【請求項２７】
電圧レベルが反転されるバス配線に接続されたスイッチ回路の出力抵抗が、他のスイッチ回路の出力抵抗よりも高い請求項２４記載の液晶表示装置の駆動ＩＣ。
【請求項２８】
前記スイッチ回路の出力抵抗が他のスイッチ回路の出力抵抗の２倍以上５０倍以内である請求項２６または２７記載の液晶表示装置の駆動ＩＣ。
【請求項２９】
前記スイッチ回路の出力抵抗が他のスイッチ回路の出力抵抗の５倍以上２０倍以内である請求項２８記載の液晶表示装置の駆動ＩＣ。
【請求項３０】
前記スイッチ回路が２つの電圧および時間的にレベルが変化する補償電圧を含む３つの電圧のうち１つを選択して出力するように構成されている請求項２２または２４に記載の液晶表示装置の駆動ＩＣ。
【請求項３１】
前記スイッチ回路の組は、前記２つのラッチ回路の出力と補償パルス制御信号に基づいて、前記複数の入力電圧のうちの一つを選択して出力する請求項２２または２４に記載の液晶表示装置の駆動ＩＣ。
【請求項３２】
複数の走査電極と複数の信号電極がマトリックス状に配置された液晶表示装置に対して、前記複数の走査電極に順次印加する走査電圧と、前記複数の信号電極に印加する信号電圧とを供給するための液晶表示装置の駆動回路において、
第１の水平走査期間における第１の信号データを保持する第１のラッチ回路、第１の水平走査期間に隣接する第２の水平走査期間における第２の信号データを保持する第２のラッチ回路、前記２つのラッチ回路の出力に基づいて複数の入力電圧のうちの一つを選択して出力するスイッチ回路の組、および複数のバス配線を有する駆動ＩＣを用いた信号側駆動回路と、電源回路とを備え、前記電源回路から信号側駆動回路に供給される補償パルスの電圧レベルが所定の制御信号に応じて切り替えられることを特徴とする液晶表示装置の駆動回路。
【請求項３３】
前記制御信号が極性信号である請求項３２記載の液晶表示装置の駆動回路。
【請求項３４】
前記電源回路は、信号電圧レベルおよび所定の波形の補償パルスの電圧レベルを発生し、前記駆動ＩＣは、前記両電圧レベルが供給される入力端子を備えた請求項３２に記載の液晶表示装置の駆動回路。
【請求項３５】
前記電源回路が半波整流回路および三角波発生回路の少なくとも一つを含んでいる請求項３４記載の液晶表示装置の駆動回路。
【請求項３６】
前記電源回路は、走査電圧、信号電圧および補償パルスの電圧レベルを発生し、前記駆動ＩＣは、前記電圧レベルの入力端子を備え、前記電源回路が、補償パルスの電圧レベルを作り出す抵抗分圧回路を含む請求項３２に記載の液晶表示装置の駆動回路。
【請求項３７】
前記電源回路が、補償パルスの電圧レベルを反転する電圧反転回路をさらに含む請求項３６記載の液晶表示装置の駆動回路。
【請求項３８】
前記補償パルスの電圧レベルが、液晶駆動電圧に連動して変化するように構成された請求項３６または３７記載の液晶表示装置の駆動回路。
【請求項３９】
前記信号電極が上下に分割されている液晶表示装置の駆動回路であって、液晶表示面の上半分用と下半分用とで独立に補償パルス制御回路を備えている請求項３２に記載の液晶表示装置の駆動回路。